(57)【要約】  空気調和機から得られた運転データからその空気調和機の正確な故障原因や適切な修理情報などを導きだすことを可能にする。  空気調和機１００の診断システムは、室外機１と室内機２ａ，２ｂとが通信線３で接続されており、この空気調和機には、運転データ１４，２１と機種データ１５，２２を移動通信端末に送信する通信手段１７，２５を備える。この通信手段は、前記運転データと機種データを、移動通信端末１０，１１から要求がされた場合に移動通信端末に送信する。移動通信端末は、保守サーバシステム７との通信も可能で、保守サーバシステムは空気調和機の機種毎に対応した診断プログラムを記憶しており、受信した機種データと運転データに基づき、保守サーバシステムまたは移動通信端末により、機種データに対応した診断プログラムを用いて当該空気調和機の診断を行う。この診断結果は移動通信端末の表示部に表示される。
2015037333.tif 000002
【特許請求の範囲】
【請求項１】
室外機と室内機とが通信線で接続された空気調和機の診断システムにおいて、
空気調和機の運転状態を示す運転データと機種データを移動通信端末に送信する通信手段を該空気調和機に備え、
前記通信手段は、前記空気調和機の運転データと機種データを前記移動通信端末により受信要求がされた場合にのみ前記移動通信端末に送信し、
前記移動通信端末は、遠隔地に設置されている保守サーバシステムとの通信が可能であり、前記保守サーバシステムは空気調和機の機種毎に対応した診断プログラムを記憶しており、
前記移動通信端末で受信した機種データと運転データに基づき、前記保守サーバシステムまたは前記移動通信端末により、前記機種データに対応した前記診断プログラムを用いて当該空気調和機の診断を行い、この診断結果を前記移動通信端末の表示部に表示する
ことを特徴とする空気調和機の診断システム。
【請求項２】
請求項１に記載の空気調和機の診断システムにおいて、前記空気調和機に備えられた前記通信手段は前記運転データや機種データを無線で前記移動通信端末に送信する無線通信手段であることを特徴とする空気調和機の診断システム。
【請求項３】
請求項１に記載の空気調和機の診断システムにおいて、空気調和機に備えられた前記通信手段は、前記通信線に接続される通信用のアダプタであり、前記通信線及び前記アダプタを介して空気調和機の運転データを前記移動通信端末に送信可能に構成されていることを特徴とする空気調和機の診断システム。
【請求項４】
請求項１に記載の空気調和機の診断システムにおいて、前記通信手段は、前記室外機、室内機、または室内機に備えられたリモコンの少なくとも何れかに設けられ、該通信手段は、前記室外機或いは室内機の制御基板から電源が供給されることを特徴とする空気調和機の診断システム。
【請求項５】
請求項４に記載の空気調和機の診断システムにおいて、前記通信手段は、前記リモコンにＱＲコードを表示し、このＱＲコードを前記移動通信端末のカメラ機能で読み取ることで、機種データや運転データの受信が可能となることを特徴とする空気調和機の診断システム。
【請求項６】
請求項１に記載の空気調和機の診断システムにおいて、前記移動通信端末は、該移動通信端末で受信した前記空気調和機の機種データに応じて、前記保守サーバシステムに記憶されている当該機種データに対応した診断プログラムをこの移動通信端末にダウンロードし、このダウンロードした診断プログラムを用いて前記空気調和機から受信した運転データに基づき当該空気調和機の診断を行い、この診断結果をその移動通信端末の表示部に表示することを特徴とする空気調和機の診断システム。
【請求項７】
請求項１に記載の空気調和機の診断システムにおいて、前記保守サーバシステムには前記空気調和機と通信するための移動通信端末用の通信ソフトウェアが記憶されており、移動通信端末にこの通信ソフトウェアをダウンロードすることで、前記空気調和機との通信が可能となることを特徴とする空気調和機の診断システム。
【請求項８】
請求項７に記載の空気調和機の診断システムにおいて、空気調和機に備えられた前記通信手段は無線通信手段であり、前記移動通信端末にダウンロードされた前記通信ソフトウェアは、通信可能な空気調和機が複数ある場合、任意の１台を選択して通信可能になっていることを特徴とする空気調和機の診断システム。
【請求項９】
室外機と室内機を有し、これら室外機と室内機は通信線で接続されている空気調和機であって、
この空気調和機は、該空気調和機の機種データと運転データを記憶する情報記憶手段と、この情報記憶手段に記憶された情報を移動通信端末にダウンロードするための通信手段とを備えることを特徴とする空気調和機。
【請求項１０】
空気調和機に供えられた通信手段と通信可能な第１の通信手段と、
該第１の通信手段を介して空気調和機の機種データと運転データをダウンロードするためのプログラムを備えた第１のソフトウェアと、
空気調和機の機種毎に対応した診断プログラムを記憶しているサーバを備える保守サーバシステムと通信するための第２の通信手段と、
該第２の通信手段を介して前記保守サーバシステムと通信し、ダウンロードした空気調和機の機種データに対応した診断プログラムを用いて、ダウンロードした前記空気調和機の運転データに基づいて前記空気調和機の故障診断を実施し、その故障診断結果を表示部に表示させるためのプログラムを備えた第２のソフトウェアと、
を備えることを特徴とする移動通信端末。
【請求項１１】
請求項１に記載の空気調和機の診断システムにおいて、
前記室外機及び前記室内機は、それぞれセンサで検出されたセンサの値、運転データ、機種データ及び契約内容などを記憶するための情報記憶手段と、前記情報記憶手段に記憶されている情報を空気調和機の外部へ伝送する通信手段を備え、
前記保守サーバシステムは、前記機種データに対応し前記運転データの情報から空気調和機の運転状態を判定する複数の診断プログラムと、前記診断プログラムの送信を判断する契約判断手段と、前記診断プログラムを外部の移動通信端末などに伝送するための通信手段を有する
ことを特徴とする空気調和機の診断システム。
【請求項１２】
請求項２に記載の空気調和機の診断システムにおいて、前記空気調和機の通信手段と、前記移動通信端末の通信手段との間の通信は、赤外線通信、ブルートゥース、ＷｉＦｉの何れかであることを特徴とする空気調和機の診断システム。
【請求項１３】
請求項２に記載の空気調和機の診断システムにおいて、前記空気調和機の通信手段は、室外機に内蔵された室外制御装置、室内機に内蔵された室内制御装置、或いは空気調和機のリモコンなどに備えられた発光素子から発光させて、この発光を携帯移動端末のカメラ機能で撮影することで空気調和機の各種情報を携帯移動端末に送信することを特徴とする空気調和機の診断システム。
【発明の詳細な説明】
【技術分野】
【０００１】
本発明は空気調和機の診断システム、空気調和機及び移動通信端末に関し、特に、空気調和機の運転データから当該空気調和機の診断をするものに関する。
【背景技術】
【０００２】
従来から、空気調和機の運転状態などを遠隔から監視することにより、例えば空気調和機の異常などに対して迅速かつ効率のよい対応を図ることが知られている。  
このような遠隔監視は、例えば、空気調和機と、空気調和機の近傍に配置され、空気調和機と通信線を介して接続された運転監視装置と、運転監視装置と公衆回線を介して接続された遠隔監視装置などによって構成されている。【０００３】
空気調和機の運転データは、空気調和機から通信線を介して運転監視装置に蓄積され、そして公衆回線を介して遠隔監視装置に送信されるようになっている。  
しかしながら、上述したシステムでは、ユーザに対する経済的負担が大きく、導入が進まない場合がある。【０００４】
即ち、上記システムでは、運転データを空気調和機から遠隔監視装置に送信するための専用の通信設備、つまり運転監視装置及び公衆回線を用いなければならない。一般的に、空気調和機のユーザにとって、ほとんど故障しない空気調和機の保全性のために専用の通信設備に投資することは、経済的な負担が大きく、導入が進まない場合がある。【０００５】
そこで、空気調和機の遠隔監視専用の通信設備を必要としない簡便な構成で、ユーザに効率のよいアフターサービスを提供するようにしたものが、特開２００９−１４２３３号公報（特許文献１）に記載されている。
【先行技術文献】
【特許文献】
【０００６】
【特許文献１】特開２００９−１４２３３号公報
【発明の概要】
【発明が解決しようとする課題】
【０００７】
上記特許文献１に記載のものは、空気調和機の運転履歴情報などの運転データ（空調機データ）を受信すると共に、この運転データに基づいて、空気調和機のユーザに保守情報などのサービス情報を通知する管理装置を備えて構成されている。そして、空気調和機の運転データを、空気調和機から、空気調和機との間で近距離通信可能に構成されたユーザの携帯電話端末に送信し、携帯電話端末からネットワークを介して遠隔地に設けられた管理装置に送信すると共に、サービス情報を、前記管理装置からネットワークを介して携帯電話端末に送信してユーザに通知するように構成したものである。【０００８】
しかし、空気調和機の種類は多種にわたり、また古いものから新しいものまで多様である。このため、前記管理装置では、得られた運転データからその空気調和機の故障原因などを引き出すことができない、或いは引き出せても正確な故障原因や適切な修理情報などを導きだすことができない場合も多いという課題があった。【０００９】
本発明の目的は、空気調和機から得られた運転データからその空気調和機の正確な故障原因や適切な修理情報などを導きだすことが可能な空気調和機の診断システム、空気調和機及び移動通信端末を得ることにある。
【課題を解決するための手段】
【００１０】
上記目的を達成するため、本発明は、室外機と室内機とが通信線で接続された空気調和機の診断システムにおいて、空気調和機の運転状態を示す運転データと機種データを移動通信端末に送信する通信手段を該空気調和機に備え、前記通信手段は、前記空気調和機の運転データと機種データを前記移動通信端末により受信要求がされた場合にのみ前記移動通信端末に送信し、前記移動通信端末は、遠隔地に設置されている保守サーバシステムとの通信が可能であり、前記保守サーバシステムは空気調和機の機種毎に対応した診断プログラムを記憶しており、前記移動通信端末で受信した機種データと運転データに基づき、前記保守サーバシステムまたは前記移動通信端末により、前記機種データに対応した前記診断プログラムを用いて当該空気調和機の診断を行い、この診断結果を前記移動通信端末の表示部に表示することを特徴とする。【００１１】
本発明の他の特徴は、室外機と室内機を有し、これら室外機と室内機は通信線で接続されている空気調和機であって、この空気調和機は、該空気調和機の機種データと運転データを記憶する情報記憶手段と、該記情報憶手段に記憶された情報を移動通信端末にダウンロードするための通信手段とを備える空気調和機にある。【００１２】
本発明の更に他の特徴は、空気調和機に供えられた通信手段と通信可能な第１の通信手段と、該第１の通信手段を介して空気調和機の機種データと運転データをダウンロードするためのプログラムを備えた第１のソフトウェアと、空気調和機の機種毎に対応した診断プログラムを記憶しているサーバを備える保守サーバシステムと通信するための第２の通信手段と、該第２の通信手段を介して前記保守サーバシステムと通信し、ダウンロードした空気調和機の機種データに対応した診断プログラムを用いて、ダウンロードした前記空気調和機の運転データに基づいて前記空気調和機の故障診断を実施し、その故障診断結果を表示部に表示させるためのプログラムを備えた第２のソフトウェアとを備えることを特徴とする移動通信端末にある。
【発明の効果】
【００１３】
本発明によれば、空気調和機から得られた運転データからその空気調和機の正確な故障原因や適切な修理情報などを導きだすことが可能な空気調和機の診断システム、空気調和機及び移動通信端末を得ることができる効果がある。
【図面の簡単な説明】
【００１４】
【図１】本発明の空気調和機の診断システムの実施例１を示す全体構成図である。
【図２】図１に示すアダプタ８の記憶部８０におけるデータの保持の仕方を説明する図である。
【図３】図１に示す空気調和機の診断システムを詳細に説明するためのブロック図である。
【図４】図３に示す通信手段の他の例を説明するブロック図である。
【発明を実施するための形態】
【００１５】
以下、本発明の具体的実施例について図面を用いて説明する。なお、各図において、同一符号を付した部分は同一或いは相当する部分を示している。
【実施例１】
【００１６】
図１は、本発明の空気調和機の診断システムの実施例１を示す全体構成図である。  
この図１は、ビルなどに使用されている多室型の空気調和機を示しており、この図１において、１は室外機、２は室内機で、本実施例では、室内機は２台示しているが、３台以上となることもある。また、室外機１に接続される室内機２の数が多いものでは、室外機１が複数台接続されることもある。更に、小店舗や家庭用など、室外機１と室内機２が１：１で対応しているものもある。【００１７】
前記室内機２はビル内の各室内の天井などに設置されている。なお、１つの室（部屋）が広い場合には、１室内に複数台の室内機２を設置することもある。  
上記室外機１及び複数の前記室内機２は通信線３で接続されており、更に、本実施例では、前記通信線３に、照明装置５を制御するための制御器９も接続されている。この制御器９には照明装置用の通信線６を介して複数の照明装置５が接続されている。通信線３は、空気調和機専用の通信線であるが、一般的なビル管理システムに使用されているオープンネット―ワークによる通信方式の場合もある。【００１８】
図１に示す例では、前記通信線３の途中に、他の機器や遠隔地にある保守サーバシステム７などと通信できるようにするための通信用のアダプタ（通信変換装置、ＬＡＮアダプタ）８が設けられている。この図１の例では前記アダプタ８を前記通信線３の任意の個所に接続し、このアダプタ８を介してビルの管理人室などに設置された監視装置４を接続している。この監視装置４は更にインターネットを介して遠隔地に設置されている保守サーバシステム７と通信可能に構成しても良い。なお、前記アダプタ８を設けることなく、前記通信線３に前記監視装置４を直接接続するようにしても良い。【００１９】
また、前記アダプタ８には、記憶部８０を設け、空気調和機の運転データなどを保持することができるようになっている。次に、この記憶部８０のデータの保持の仕方を説明する。前記記憶部８０に保持されているデータは、図２に示すように、例えば、０〜２４時間前の第一のデータ８２と、２４〜４８時間前の第二のデータ８３として保持している。
前記第二のデータ８３を定期的に多機能携帯電話（スマートフォン）１０やタブレットＰＣ１１などの移動通信端末などに移動することにより、前記記憶部８０の容量を最小にすることができる。なお、前記各室内機２内に設けられている記憶部に保持されたデータについても同様に行なえる。【００２０】
前記アダプタ８に設けた記憶部８０を空気調和機全体で利用することにより、空気調和機の各室内機２や室外機１には最小限のデータ記憶部を設置するだけで良い。つまり、前記各室内機２や室外機１には、例えば４８時間分の最新データを保持し、夜中など空気調和機が余り動かず、通信線３の情報量が少ない時に、前記アダプタ８へ前日の運転データを送るようにすれば、効率の良いシステムを実現できる。【００２１】
前記室外機１及び複数の前記室内機２の運転データは、前記通信線３を介して前記監視装置４に送られ、この監視装置４で、空気調和機の運転状況を監視することができるようになっている。また、この監視装置４側から、前記室外機１及び複数の前記室内機２で構成された多室型の空気調和機を制御することもできる。【００２２】
なお、前記各室内機２にはそれぞれリモコン（コントローラ）（図４の３４を参照）が設けられており、このリモコンからも各室内機２を制御可能に構成されている。  
また、前記室内機２が設置されている各室内にはそれぞれ照明装置５が設けられており、これら各室内の照明装置５も照明装置用の通信線６及び前記通信線３を介して前記監視装置４に接続されている。従って、前記監視装置４では、各室内の照明装置５のＯＮ／ＯＦＦ状況などを監視でき、また監視装置４側からも前記照明装置５のＯＮ／ＯＦＦも可能な構成になっている。【００２３】
前記監視装置４は、必要に応じ、インターネットなどを介して遠隔地にある監視センタなどの遠隔監視装置（図示せず）に接続するようにしても良い。このように遠隔監視装置にも接続して、送受信可能に構成することにより、遠隔監視装置７で前記空気調和機に監視をしたり、遠隔監視装置７側から遠隔操作で空気調和機の制御をしたり、前記照明装置のＯＮ／ＯＦＦも可能になる。【００２４】
なお、図１に示す例では、通信線３に設けられた前記アダプタ８と、多機能携帯電話１０やタブレットＰＣ１１などの移動通信端末とが、赤外線通信、ブルートゥース（Ｂｌｕｅｔｏｏｔｈ）（登録商標）、ＷｉＦｉ（無線ＬＡＮ）などの無線通信手段或いは有線で通信できるように構成されている。即ち、空気調和機側には前記移動通信端末１０または１１により受信要求がされた場合にのみ前記空気調和機の運転データと機種データを前記移動通信端末に送信できるように構成されている。【００２５】
一般的に、多機能携帯電話１０やタブレットＰＣ、或いはブルートゥースなどの通信方式に必要な部品は高価であり、前記アダプタ８を使用することで、全体のコストを低減できる。また、前記アダプタ８には時計機能８１が内蔵されており、前記室内機２や室外機１に一定時間毎に時計データを送信し、前記室内機２や室外機１の保持データのタイムスタンプを可能とする。前記時計機能８１の時刻修正は、標準電波による電波時計を利用したり、保守サーバ７や移動通信端末１０または１１などとの通信時に行なうことができる。【００２６】
一定時間の間に、移動通信端末１０または１１などで、空気調和機の運転データを読み取りきれない場合は、空気調和機を一度停止する保守催促手段を備えるようにすると良い。これにより、例えば、規模の小さな店などで、従業員が日常業務の中で、空気調和機の運転データを定期的に採取し、前記保守サーバ７に送信することで、常時メンテナンスの契約などを結ばなくても、空気調和機の運転状態を定期的にチェックできるサービスを提供することが可能になる。【００２７】
前記移動通信端末１０または１１は、空気調和機の通信線３を介して、室外機１や室内機２の記憶装置（記憶手段）に保存されている空気調和装置の運転状態を示す運転データや、当該空気調和機の機種を示す機種データを受信してダウンロードすることができる。
前記運転データとしては、例えば、室外機に設けられている圧縮機の回転数、圧縮機の吐出圧力、吐出温度、室外温度、室内機の空気吸込温度、室内機送風機回転数、風向、人検知センサによる人検知情報などのデータがある。【００２８】
また、前記移動通信端末１０または１１は、それらが利用できる通信回線や通信網を介して遠隔地に設置されている保守サーバシステム７と通信が可能である。この保守サーバシステム７には、空気調和機の機種毎に対応した診断プログラムが記憶されており、前記移動通信端末１０，１１で受信した機種データと運転データを前記保守サーバシステム７に送信することにより、この保守サーバシステム７では、前記機種データに対応した前記診断プログラムを用いて当該空気調和機の診断を行うことができるようになっている。機種毎に対応した前記診断プログラムとは、例えば、当該空気調和機における吐出温度、吐出圧力、電流値などの検出値が機種毎に予め定めた適正範囲にあるかどうかなどを診断して、異常の有無、異常兆候の有無、異常個所の特定などを診断し、また診断した異常に対する修理情報などを抽出して提供できるようになっているものである。【００２９】
本実施例の空気調和機は、ビルなどに複数の室内機２が設置され、またこれらと接続する１台以上の室外機２とで構成される業務用空気調和機であり、この業務用空気調和機は冷凍能力が多岐に亘っている。このため、業務用空気調和機全機種に対応する診断プログラムの全てを前記移動通信端末１０、１１に記憶させておくのは容量的に難しい。そこで、本実施例では上述したように、受信した機種データと運転データを前記保守サーバシステム７に送信することで、保守サーバシステム７において、機種データに対応した診断プログラムを用いて当該空気調和機の診断を行うことができるようにしている。また、この診断結果を、前記移動通信端末１０，１１に送信して、該移動通信端末１０，１１の表示部１０ａ，１１ａに表示することができるように構成されている。【００３０】
なお、前記機種データに対応した前記診断プログラムを用いて当該空気調和機の診断を行うことは、前記保守サーバシステム７で行う場合の他、前記移動通信端末１０，１１で行うようにすることもできる。即ち、前記移動通信端末１０，１１は、該移動通信端末で受信した前記空気調和機の機種データに応じて、前記保守サーバシステム７に記憶されている当該機種データに対応した診断プログラムをこの移動通信端末にダウンロードする。
そして、この移動通信端末１０，１１はダウンロードした前記診断プログラムを用いて空気調和機から受信した運転データに基づいて当該空気調和機の診断を行い、この診断結果をこの移動通信端末の表示部１０ａ，１１ａに表示するようにしても良い。【００３１】
このように、前記移動通信端末１０，１１により、機種データに対応した診断プログラムを用いて空気調和機の診断を行うようにすれば、屋内など前記移動通信端末を通信回線に接続できない環境の場所においても空気調和機の診断をすることが可能になる。例えば、前記アダプタ８と移動通信端末１０，１１を赤外線通信で接続して空気調和機の運転データと機種データを前記移動通信端末にダウンロードし、次に移動通信端末の通信回線に接続できる環境の場所で、前記保守サーバシステム７と通信して機種データに対応した診断プログラムを前記移動通信端末にダウンロードする。その後、前記空気調和機の近くで前記移動通信端末により診断を行い、この移動通信端末の表示部に診断結果を表示させながら、空気調和機の修理などを行うことができる。【００３２】
以上説明したように、本実施例によれば、移動通信端末１０，１１で受信した機種データと運転データに基づき、保守サーバシステム７または前記移動通信端末１０，１１により、前記機種データに対応した診断プログラムを用いて当該空気調和機の診断を行い、この診断結果を前記移動通信端末の表示部に表示するように構成しているので、空気調和機から得られた運転データからその空気調和機の正確な故障原因や適切な修理情報などを導きだすことができ、空気調和機が設置されている現地などにおいて、空気調和機の正確な診断、保守、修理などを行うことができる。【００３３】
図３は図１に示す空気調和機の診断システムを詳細に説明するためのブロック図で、この図３には図１に示した監視装置４や通信用のアダプタ８については図示していない。
図３において、１００は室外機１と複数の室内機２（２ａ，２ｂ）で構成されている空気調和機、７は遠隔地に設けられている保守サーバシステム、１０，１１は移動通信端末である。【００３４】
前記空気調和機１００の室外機１の制御基板には、室外機１に設けられている各種センサで検出されたセンサの値１３、運転データ１４、機種データ１５及び契約内容１６などを記憶するための情報記憶手段１２と、この情報記憶手段１２に記憶されている情報を空気調和機の外部へ伝送する通信手段１７を備えている。また、情報記憶手段１２に記憶されている情報を選択して、室外機１の外部へ伝送するためのデータに変換するための演算手段１８も備えられている。【００３５】
前記センサの値１３としては、例えば、圧縮機の吐出圧力や吐出温度、室外温度などの検出値があり、また前記運転データ１４としては室外機に設けられている圧縮機の回転数などの運転情報、膨張弁の開度、切換え弁の動作情報などがある。機種データ１５は当該室外機１の機種コードなどである。契約内容１６については、保守サービスの内容、例えば、故障停止した場合に異常個所の診断のみを行う契約、故障停止を未然に防ぐため、運転情報を分析して、異常の兆候を診断して保守まで行う契約など、顧客との間で決めておき、情報記憶手段１２に契約内容１６として記憶させておく。【００３６】
前記通信手段１７は多機能携帯電話１０やタブレットＰＣ１１などの移動通信端末が、赤外線通信、ブルートゥース、ＷｉＦｉなどの無線通信手段或いは有線で通信できるように構成されており、前記移動通信端末１０や１１から受信要求がされた場合にのみ前記空気調和機の運転データ（契約内容に応じて、その診断のために必要なデータ）と、機種データを前記移動通信端末１０や１１に送信できるように構成されている。従って、前記移動通信端末１０，１１は、室外機１の情報記憶手段１２に保存されている運転データや当該室外機１の機種データを受信してダウンロードできるようになっている。【００３７】
前記空気調和機１００の室内機２ａ，２ｂの制御基板にも、上述した室外機１と同様に、室内機２ａ，２ｂに設けられている各種センサで検出されたセンサの値２０、運転データ２１、機種データ２２及び契約内容２３などを記憶するための情報記憶手段１９と、この情報記憶手段１９に記憶されている情報を空気調和機の外部へ伝送する通信手段２５を備えている。また、情報記憶手段１９に記憶されている情報を選択して、室内機２ａ，２ｂの外部へ伝送するためのデータに変換するための演算手段２４も備えられている。【００３８】
前記センサの値２０としては、例えば、各室内機２ａ，２ｂの吸込空気温度、吹出空気温度などの検出値があり、また前記運転データ２１としては室内機に設けられている送風機の回転数、ルーバの風向などのデータがある。機種データ２２は当該室内機２ａ，２ｂの機種コードなどである。契約内容２３については、室外機１の契約内容１６と同様である。【００３９】
前記演算手段２４や前記通信手段２５も前記室外機１の演算手段１８や前記通信手段１７と同様である。従って、前記移動通信端末１０，１１は、室内機２ａ，２ｂの情報記憶手段１９に保存されている運転データや当該室内機２ａ，２ｂの機種データを受信してダウンロードできるようになっている。【００４０】
前記移動通信端末１０，１１にも空気調和機１００の室外機１や各室内機２ａ，２ｂの通信手段１７，２５と通信するための通信手段２６が設けられている。この通信手段２６も上記室外機１の通信手段１７と同様のものが備えられている。【００４１】
一方、この移動通信端末１０，１１は、遠隔地に設けられている保守サーバシステム７とは移動通信端末１０，１１が利用できる通信回線や通信網等の公衆回線を介して通信が可能である。この保守サーバシステム７には、前述したように、空気調和機の機種毎に対応する複数の診断プログラム２７が記憶されており、前記移動通信端末１０，１１で受信した機種データと運転データに基づいて、保守サーバシステム７は、前記機種データに対応した診断プログラム２７を用いて当該空気調和機の診断を行う。【００４２】
なお、前記保守サーバシステム７には前記移動通信端末１０，１１と公衆回線を介して通信するための通信手段２９と、契約判断手段２８が設けられている。前記契約判断手段２８は、移動通信端末１０，１１から受信したデータに含まれている契約内容と機種データに基づいて、サーバに複数格納されている診断プログラムの中から契約内容、機種データに対応した診断プログラムを選択する。【００４３】
前記保守サーバシステム７は選択された診断プログラムと、受信した運転データを用いて、当該空気調和機の診断を行うことができ、また、この診断結果を、前記移動通信端末１０，１１に送信して、その表示部１０ａ，１１ａに表示することができるようになっている。また、前記移動通信端末１０，１１は、該移動通信端末で受信した前記空気調和機の機種データに応じて、前記保守サーバシステム７に記憶されている当該機種データ及び契約内容に対応して選択された前記診断プログラムを、この移動通信端末にダウンロードすることもできるようになっている。そして、この移動通信端末１０，１１はダウンロードした前記診断プログラムを用いて空気調和機から受信した運転データに基づいて当該空気調和機の診断を行い、この診断結果をその表示部１０ａ，１１ａ（図１参照）に表示することもできるようになっている。【００４４】
なお、前記保守サーバシステム７には、前記空気調和機１００の室外機１や室内機２に設けられた通信手段１７，２５、或いは通信線３に設けられたアダプタ８（図１参照）と通信するための移動通信端末１０，１１用の通信ソフトウェアも記憶されている。従って、前記移動通信端末１０，１１に、この通信ソフトウェアをダウンロードすることで、その移動通信端末１０，１１は、空気調和機１００に設けられている前記通信手段１７，２５或いは８と通信することができる。即ち、空気調和機の室外機１の少なくとも何れかに前記通信手段１７，２５を備えているか、或いは通信用のアダプタ８（このアダプタ８も通信手段の１つ）が設けられておれば、その空気調和機との通信が可能となる。【００４５】
また、空気調和機１００に備えられた前記通信手段１７，２５或いはアダプタ８が無線通信手段である場合、他の空気調和機が隣接して存在すると、前記移動通信端末１０，１１は複数の空気調和機と接続してしまう可能性もある。そこで、前記移動通信端末１０，１１にダウンロードされた前記通信ソフトウェアは、通信可能な空気調和機が複数ある場合、任意の１台を選択して通信できるようにプログラムされている。【００４６】
即ち、前記移動通信端末１０，１１は、空気調和機１００に供えられた通信手段１７，２５やアダプタ８と通信可能な第１の通信手段（赤外線通信やブルートゥースなど）と、該第１の通信手段を介して空気調和機の機種データや運転データなどをダウンロードするためのプログラムを備えた第１のソフトウェア（上記通信ソフトウェア）を備えている。
また、この移動通信端末１０，１１には、空気調和機の機種毎に対応した診断プログラムを複数種類記憶しているサーバを備え遠隔地に設置されている保守サーバシステム７と、通信回線や通信網を介して通信するための第２の通信手段も備えている。更に、この移動通信端末１０，１１には、前記第２の通信手段を介して前記保守サーバシステム７と通信し、ダウンロードした空気調和機の機種データや契約内容に対応した診断プログラムを用いて、ダウンロードした前記空気調和機の運転データに基づいて前記空気調和機の故障診断を実施し、その故障診断結果をその表示部に表示させるためのプログラムを備えた第２のソフトウェアも備えている。【００４７】
このような移動通信端末１０，１１によれば、以下の効果がある。  
即ち、空気調和機との間で近距離通信可能な移動通信端末で空気調和機の運転データを受信しようとしても、移動通信端末に空気調和機と通信するための専用の通信ソフトウェアが入っていないと通信できないこともある。このため、空気調和機と通信して本実施例の診断システムを利用できないケースも多い。【００４８】
これに対し、上述した第１、第２の通信手段、及び第１、第２のソフトウェアを備えている本実施例の移動通信端末によれば、空気調和機側に通信手段が備えられていて、運転データ、機種データを送信可能な構成となっている空気調和装置であれば、通信することが可能となる。従って、このような移動通信端末を用いることにより、診断対象となる空気調和機の適用範囲を拡大することができる。【００４９】
図４は図３に示す通信手段１７，２５，２６の他の例を説明するブロック図である。
図４において、１は室外機で、この室外機１に内蔵された室外制御装置３０には発光素子３１が設けられている。前記室外機１と通信線３で接続されている各室内機２ａ，２ｂに内蔵された室内制御装置３２にも、同様に発光素子３３が設けられている。なお、３４は各室内機２ａ，２ｂに設けられ、各室内機を制御するためのリモコンである。【００５０】
１０，１１は移動通信端末で、この移動通信端末にはカメラ機能３５が搭載されている。空気調和機の情報記憶手段１２や１９に記憶されている運転データ、機種データ及び契約内容などを移動通信端末１０，１１でダウンロードしたい場合には、前記室外機１或いは室内機２ａ，２ｂの発光素子３１或いは３３から、前記データを光の点滅情報に変換して発光させ、この発光（点滅情報）を前記携帯移動端末１０，１１のカメラ機能３５で撮影することにより、空気調和機に記憶されている運転データや機種データなどの情報を携帯移動端末１０，１１で受信することができる。【００５１】
なお、前記室内機２ａ，２ｂの前記リモコン３４に発光素子を設けて、このリモコンの発光素子から発光させて、空気調和機に記憶されている運転データや機種データなどの情報を携帯移動端末１０，１１で受信するようにすることもできる。【００５２】
また、前記室外機１と室内機２ａ，２ｂは通信線３で接続されているので、前記発光素子は、室外機１、室内機２ａ，２ｂ或いはそのリモコン３４の何れか１か所に設けておけば、室外機１及び室内機２ａ，２ｂの運転データや機種データなどを移動通信端末１０，１１側で受信することができる。【００５３】
なお、図３に示した前記通信手段１７，２５も同様に、前記室外機１、室内機２ａ，２ｂ、或いは室内機に備えられたリモコン３４の少なくとも何れかに設けられておれば良い。また、該通信手段１７，２５などには、前記室外機１或いは室内機２ａ，２ｂの制御基板から電源を供給するようにすると良い。【００５４】
前記通信手段として、前記発光素子３１，３３を設ける代わりに、前記リモコンにＱＲコード(登録商標)を表示し、このＱＲコードを前記移動通信端末１０，１１のカメラ機能３５で読み取るようにしても、機種データや運転データなどの受信が可能であり、このような構成としても良い。【００５５】
なお、本発明は上記した実施例に限定されるものではなく、様々な変形例が含まれる。
例えば、上記実施例では空気調和機として室外機１台と室内機２台で構成されるものに本発明を適用した例を示したが、室外機が複数台のものや、室内機が３台以上のものにも同様に適用でき、更に室外機１と室内機２が１：１に対応したものにも同様に実施可能である。【００５６】
また、上記した実施例は本発明を分かり易く説明するために詳細に説明したものであり、必ずしも説明した全ての構成を備えるものに限定されるものではない。更に、ある実施例の構成の一部を他の実施例の構成に置換えることが可能であり、また、ある実施例の構成に他の実施例の構成を加えることも可能である。また、各実施例の構成の一部について、他の構成の追加・削除・置換をすることが可能である。【００５７】
また、各機能を実現するプログラム、各判定値、各設定時間等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【符号の説明】
【００５８】
１：室外機、２（２ａ，２ｂ）：室内機、３：通信線、４：監視装置、５：照明装置、６：照明装置用の通信線、７：保守サーバシステム、８：アダプタ、９：制御器、１０，１１：移動通信端末（１０：多機能携帯電話、１１：タブレットＰＣ）、１０ａ，１１ａ：表示部、１２，１９：情報記憶手段、１３，２０：センサの値、１４，２１：運転データ、１５，２２：機種データ、１６，２３：契約内容、１７，２５，２６：通信手段、１８，２４：演算手段、２７：診断プログラム、２８：契約判断手段、２９：通信手段、３０：室外制御装置、３２：室内制御装置、３１，３３：発光素子、３４：リモコン、３５：カメラ機能、８０：記憶部、８１：時計機能、８２：第一のデータ、８３：第二のデータ、１００：空気調和機。
【図１】
2015037333.tif 000003
【図２】
2015037333.tif 000004
【図３】
2015037333.tif 000005
【図４】
2015037333.tif 000006
【国際調査報告】
2015037333.tif 000007
2015037333.tif 000008
2015037333.tif 000009
2015037333.tif 000010